(57)【特許請求の範囲】
【請求項１】
表面に二次元コードが記録された読取対象物に向き合わされる窓部を有した装置本体と、
前記窓部に設けられて、該窓部から前記装置本体内へ塵が侵入することを防止する透明カバーと、
前記装置本体内における前記窓部の両脇付近に夫々設けられ、該窓部の前記透明カバーを通して前記読取対象物へ斜めに光を照射する一対の光照射手段と、
を備え、前記一対の光照射手段による光の照射に伴い前記透明カバーを通って装置本体内に入射してくる前記読取対象物からの反射光に基づいて、前記読取対象物の表面に記録された二次元コードを読み取る二次元コード読取装置において、
前記一対の光照射手段の各々は、
前記窓部の平面方向に対して垂直の方向に光を出力する発光素子と、
該発光素子から出力される光を反射して前記読取対象物へ斜めに照射する光照射用ミラーとからなり、
前記透明カバーは、
前記各光照射用ミラーからの反射光が夫々垂直に進入して通過するように、前記窓部の平面方向に対して所定の傾斜角度を持った一対の光照射用平面部と、
前記窓部の平面方向と平行であると共に、前記一対の光照射用平面部の側縁のうちで前記装置本体の内部側の側縁同士を結ぶ光入射用平面部とを有していること、
を特徴とする二次元コード読取装置。
【請求項２】
請求項１に記載の二次元コード読取装置において、
前記透明カバーは、
前記各光照射用平面部の前記光入射用平面部とは反対側の側縁から前記装置本体の内部側へ所定の角度で伸びた一対の折り返し平面部を有し、
前記各光照射用ミラーは、前記各折り返し平面部の内側面に夫々形成されることにより、前記透明カバーと一体化されていること、
を特徴とする二次元コード読取装置。
【請求項３】
請求項１又は請求項２に記載の二次元コード読取装置において、
前記各光照射用ミラーの表面が、拡散反射面であること、
を特徴とする二次元コード読取装置。
【請求項４】
請求項３に記載の二次元コード読取装置において、
前記各光照射用ミラーの反射光を前記読取対象物に照射するための副反射ミラーを、前記各光照射用ミラーに対向させて夫々設けたこと、
を特徴とする二次元コード読取装置。
【発明の詳細な説明】
【０００１】
【発明の属する技術分野】
本発明は、読取対象物へ光を照射した際の反射光に基づいて、その読取対象物の表面に記録された二次元コードを読み取る二次元コード読取装置に関するものである。
【０００２】
【従来の技術】
従来より、この種の二次元コード読取装置は、図６に示すように、装置本体１００の所定位置に、読取対象物１０２に向き合わされる開口である窓部１０４が空けられており、その窓部１０４には、そこから装置本体１００内へ塵が侵入することを防止するために、平板状の透明カバー１０６が取り付けられている。更に、装置本体１００内における上記窓部１０４の両脇付近には、透明カバー１０６を通して読取対象物１０２へ斜めに光を照射するためのＬＥＤ（発光ダイオード）１０８ａ，１０８ｂが夫々設けられている。
【０００３】
そして、この種の二次元コード読取装置は、ＬＥＤ１０８ａ，１０８ｂによる光の照射に伴い透明カバー１０６を通って装置本体１００内に入射してくる読取対象物１０２からの反射光ｈを、装置本体１００内に設けられたＣＣＤエリアイメージセンサやＣＭＯＳエリアイメージセンサ等の二次元画像センサ１１０によって受けることにより、読取対象物１０２の表面に印刷等で記録された二次元コードを読み取るように構成されている。
【０００４】
尚、図６は、二次元画像センサ１１０が読取対象物１０２からの反射光ｈを直接受ける構成例であるが、装置本体１００の奥行き寸法（即ち、図６における縦方向の寸法であり、窓部１０４の平面方向に対して垂直な方向の寸法）を小さくする場合には、図６における二次元画像センサ１１０の位置にミラーを配置して、読取対象物１０２からの反射光ｈを、そのミラーにより反射させて二次元画像センサ１１０へ導く構成もある。
【０００５】
ところで、この種の二次元コード読取装置において、読取対象物１０２へ斜めに光を照射するのは、読取対象物１０２での鏡面反射の影響を防ぐためである。具体的には、読取対象物１０２からの直接反射光（読取対象物１０２への光の入射角と同じ反射角である反射光）が、二次元画像センサ１１０に入ってしまうと、二次元画像センサ１１０は、人の目と同様に、その箇所を輝度の高い点として認識するため、読取対象物１０２上の二次元コードを正確に読み取ることができなってしまうからである。
【０００６】
そこで、従来の二次元コード読取装置では、図６に示すように、ＬＥＤ１０８ａ，１０８ｂを、窓部１０４の平面方向に対して垂直ではなく、所定の傾斜角度を持たせて配置することにより、読取対象物１０２からの直接反射光が透明カバー１０６から装置本体１００内へ入ってこないようにしている。つまり、読取対象物１０２からの乱反射光ｈだけが透明カバー１０６を通って装置本体１００内へ入射するようにしている。
【０００７】
【発明が解決しようとする課題】
しかしながら、上記従来の二次元コード読取装置では、以下の問題がある。
まず、第１の問題として、従来の装置では、図６の一点鎖線で示すように、発光素子としてのＬＥＤ１０８ａ，１０８ｂから出力される光が、防塵用の透明カバー１０６に対して斜めに進入することとなるため、その透明カバー１０６で光量の減少（損失）が生じてしまい、読取対象物１０２を効率良く照らすことができない。
【０００８】
また、第２の問題として、従来の装置では、前述したように、鏡面反射の影響を防ぐために、ＬＥＤ１０８ａ，１０８ｂを窓部１０４の平面方向に対して斜めに配置するようにしているため、図６に示す如く、その各ＬＥＤ１０８ａ，１０８ｂを夫々実装する各回路基板１１２ａ，１１２ｂも、窓部１０４の平面方向に対して斜めに配置する必要がある。このため、各ＬＥＤ１０８ａ，１０８ｂを実装するための回路基板１１２ａ，１１２ｂとして、１枚の共通な回路基板を使用することができず、部品点数が増加してしまうと共に、装置の組立性が悪化してしまう。
【０００９】
尚、回路基板としては、フレキシブル基板と呼ばれる可撓性を持ったものもあるが、こうしたフレキシブル基板は、ガラスエポキシ系基板や紙フェノール系基板といった一般的な可撓性の無い回路基板よりもコストが高く、また、フレキシブル基板を用いた場合には、それを装置本体１００内で保持するための特殊な構造や部品が必要となってしまう。
【００１０】
そして、第３の問題として、読取対象物１０２に対して光を一律に照射するためには、ＬＥＤ１０８ａ，１０８ｂと読取対象物１０２との間にある程度の距離を設ける必要があるが、従来の装置では、ＬＥＤ１０８ａ，１０８ｂからの光を読取対象物１０２に直接照射するようにしているため、ＬＥＤ１０８ａと１０８ｂとの離間距離が大きくなり、その結果、装置本体１００の横幅寸法（即ち、図６における横方向の寸法であり、窓部１０４の平面方向の寸法）が大きくなってしまう。
【００１１】
本発明は、以上のような問題に鑑みてなされたものであり、発光素子から出力される光を読取対象物に対して損失無く照射することができると共に、部品点数の増加と組立性の悪化を防止することができ、しかも、コンパクトな二次元コード読取装置を提供することを目的としている。
【００１２】
【課題を解決するための手段、及び発明の効果】
上記目的を達成するためになされた請求項１に記載の本発明の二次元コード読取装置は、表面に二次元コードが記録された読取対象物に向き合わされる窓部を有した装置本体と、その装置本体の窓部に設けられて、該窓部から装置本体内へ塵が侵入することを防止する透明カバーと、装置本体内における前記窓部の両脇付近に夫々設けられ、該窓部の透明カバーを通して読取対象物へ斜めに光を照射する一対の光照射手段とを備えている。
【００１３】
そして、この二次元コード読取装置は、一対の光照射手段による光の照射に伴い透明カバーを通って装置本体内に入射してくる読取対象物からの反射光に基づいて、その読取対象物の表面に記録された二次元コードを読み取る。
ここで特に、本発明の二次元コード読取装置において、前記一対の光照射手段の各々は、窓部の平面方向に対して垂直の方向に光を出力する発光素子と、その発光素子から出力される光を反射して読取対象物へ斜めに照射する光照射用ミラーとからなっている。
【００１４】
そして更に、本発明の二次元コード読取装置において、窓部に設けられる防塵用の透明カバーは、前記各光照射用ミラーからの反射光が夫々垂直に進入して通過するように、窓部の平面方向に対して所定の傾斜角度を持った一対の光照射用平面部と、窓部の平面方向と平行であると共に、前記一対の光照射用平面部の側縁のうちで装置本体の内部側の側縁同士を結ぶ光入射用平面部とを有している。
【００１５】
つまり、本発明の二次元コード読取装置では、従来装置と同様に、窓部の両脇付近に発光素子を夫々設けるようにしているが、その発光素子からの光を読取対象物に直接照射するのではなく、発光素子は、窓部の平面方向に対して垂直の方向（即ち、読取対象物の表面に対して垂直な方向）に光を出力し、その光を、光照射用ミラーで反射させて、読取対象物へ斜めに照射するようにしている。
【００１６】
このため、窓部の両脇付近に夫々設けられる発光素子は、窓部の平面方向に対して垂直に配置すれば良く、この結果、それら各発光素子を実装するための回路基板として、１枚の共通な平面基板を使用することができる。よって、部品点数を少なくすることができると共に、組立性が良好となる。
【００１７】
また、発光素子から窓部の平面方向に対して垂直の方向に出力される光を、光照射用ミラーで反射させて、読取対象物へ斜めに照射するようにしているため、発光素子同士の離間距離を小さくしても、読取対象物に対して光を一律に照射することができ、この結果、装置本体の横幅寸法（窓部の平面方向の寸法）を小さくすることができる。
【００１８】
そして更に、本発明の二次元コード読取装置では、各光照射用ミラーからの反射光が、透明カバーの光照射用平面部に垂直に進入して読取対象物へ到達し、その読取対象物からの反射光が、透明カバーの光入射用平面部を通って装置本体内に入射する構成であるため、読取対象物へ光を照射する際に、透明カバーで光量が損失してしまうことが無い。
【００１９】
このように、本発明の二次元コード読取装置によれば、発光素子から出力される光を読取対象物に対して損失無く照射することができると共に、部品点数の増加と組立性の悪化を防止することができ、しかも、装置本体をコンパクトなものにすることができる。
【００２０】
ところで、一対の光照射手段を成す各光照射用ミラーを、請求項２に記載の如く、防塵用の透明カバーと一体化すれば、より効果的である。
即ち、請求項２に記載の二次元コード読取装置では、透明カバーが、各光照射用平面部の光入射用平面部とは反対側の側縁から装置本体の内部側へ所定の角度で伸びた一対の折り返し平面部を有しており、前記各光照射用ミラーは、前記各折り返し平面部の内側面に夫々形成されることにより、透明カバーと一体化されている。
【００２１】
そして、このような請求項２に記載の二次元コード読取装置によれば、部品点数をより少なくすることができると共に、組立性が一層良好となる。
一方、本発明の二次元コード読取装置において、各光照射用ミラーとしては、表面（光反射面）が光沢鏡面であるのものを使用することができるが、この場合、発光素子として出力光の指向性が高いＬＥＤ等を用いると、その発光素子の像が読み取り面に現れてしまい、読取対象物への照度のムラが生じてしまう。尚、読み取り面とは、本装置の窓部が向き合わされる面のことであり、本装置の使用時においては読取対象物の表面である。
【００２２】
そこで、請求項３に記載の如く、各光照射用ミラーの表面を、発光素子からの光を拡散させて反射させる拡散反射面にすれば、読み取り面に発光素子の像が現れて照度のムラが生じてしまうことを、防止することができる。
但し、光照射用ミラーの表面を拡散反射面にすると、読み取り面に到達する光量が減少すると共に、視野周辺（即ち、窓部周辺）の照度も落ち込む傾向となる。
【００２３】
そこで更に、請求項４に記載の如く、各光照射用ミラーの反射光を読取対象物に照射するための副反射ミラーを、各光照射用ミラーに対向させて夫々設けるようにすれば、読み取り面に到達する光量を増大させることができると共に、視野周辺の照度の落ち込みも小さくすることができる。つまり、読取対象物への照射光をほぼ均一にしつつ、十分な照度を得ることができるようになる。尚、副反射ミラーとしては、表面が光沢鏡面であるのものを用いれば良い。
【００２４】
【発明の実施の形態】
以下、本発明が適用された実施形態の二次元コード読取装置について、図面を用いて説明する。
まず図１は、第１実施形態の二次元コード読取装置１の構成を表す構造図であり、（Ａ）は、当該装置１の内部構造を側方から示し、（Ｂ）は、当該装置１の内部構造を（Ａ）におけるＸ−Ｘ方向から示したものである。
【００２５】
図１に示すように、本第１実施形態の二次元コード読取装置１は、読取対象物２に光を照射した際の反射光に基づいて、その読取対象物２の表面に印刷等で記録された二次元コード（例えばＱＲコード）を読み取るものであり、当該二次元コード読取装置１の装置本体４には、読取対象物２に向き合わされる開口である窓部６が空けられている。そして、その窓部６には、そこから装置本体４内へ塵が侵入することを防止するための透明カバー８が取り付けられている。
【００２６】
そして更に、装置本体４内における窓部６の両脇付近には、透明カバー８を通して読取対象物２へ光を照射するために、複数個（本実施形態では５個）のＬＥＤ１０からなる２組のＬＥＤ群１２ａ，１２ｂが夫々配置されている。
尚、両ＬＥＤ群１２ａ，１２ｂを成す各ＬＥＤ１０は、窓部６の平面方向に対して垂直な方向（図１における下方）に光を出力するように、窓部６の平面方向と平行に保持された１枚の回路基板１４上に、窓部６側を向けて垂直に実装されている。
【００２７】
また、装置本体４内における窓部６の奥には、両ＬＥＤ群１２ａ，１２ｂの各ＬＥＤ１０が発光した時に透明カバー８を通って装置本体４内へ入射してくる読取対象物２からの反射光ｈを、装置本体４の内部後方（図１（Ａ）における左側）へ反射させる撮影用ミラー１６が設けられており、更に、装置本体４の内部における後方（図１（Ａ）における左側）には、撮影用ミラー１６によって反射された読取対象物２からの反射光ｈを受けて、その読取対象物２上の画像を表す画像情報を取り込む二次元画像センサとしてのＣＣＤエリアイメージセンサ（以下、ＣＣＤカメラという）１８が設けられている。そして、本実施形態の二次元コード読取装置１では、ＣＣＤカメラ１８に取り込まれた画像情報を、マイクロコンピュータ等の情報処理部（図示省略）によって処理することにより、読取対象物２に記録されていた二次元コードを解読する。
【００２８】
ここで、窓部６に設けられた透明カバー８は、図１（Ｂ）に示すように、窓部６の平面方向に対して６０度の傾斜角度を持つと共に、装置本体４における窓部６の側縁から装置本体４の内部側へと入り込んだ一対の光照射用平面部２０ａ，２０ｂと、窓部６の平面方向と平行であると共に、上記一対の光照射用平面部２０ａ，２０ｂの側縁のうちで装置本体４の内部側の側縁同士を結ぶ光入射用平面部２２と、上記各光照射用平面部２０ａ，２０ｂの光入射用平面部２２とは反対側の側縁（即ち、窓部６の側縁に当接する方の側縁）から、装置本体４の内部側へ、光照射用平面部２０ａ，２０ｂに対して６０度の角度で伸びた一対の折り返し平面部２４ａ，２４ｂとを有している。
【００２９】
換言すれば、窓部６の平面方向と平行な光入射用平面部２２の一対の各側縁から、装置本体４の外部方向へ向けて、その光入射用平面部２２との角度が１２０度となるように、一対の光照射用平面部２０ａ，２０ｂが伸びており、更に、その各光照射用平面部２０ａ，２０ｂの先端の側縁からは、装置本体４の内部方向へ向けて、その光照射用平面部２０ａ，２０ｂとの角度が６０度となるように、一対の折り返し平面部２４ａ，２４ｂが伸びている。
【００３０】
そして、透明カバー８の各折り返し平面部２４ａ，２４ｂの内側面（図１（Ｂ）における上側の表面）には、夫々、ＬＥＤ群１２ａ，１２ｂの各ＬＥＤ１０から出力される光を反射して読取対象物２へ斜めに照射するための光照射用ミラー２６ａ，２６ｂが形成されている。
【００３１】
一方、ＬＥＤ群１２ａ，１２ｂを実装する回路基板１４は、装置本体４を図１（Ａ）の下方から表す図２に示すように、読取対象物２からの反射光ｈが撮影用ミラー１６へ到達するのを妨げないように、その平面形状が「コ」の字状に形成されている。
【００３２】
尚、本実施形態では、ＬＥＤ群１２ａ及び光照射用ミラー２６ａと、ＬＥＤ群１２ｂ及び光照射用ミラー２６ｂとが、一対の光照射手段に相当している。
このように構成された本実施形態の二次元コード読取装置１では、ＬＥＤ群１２ａ，１２ｂ（詳しくは、それを構成する各ＬＥＤ１０）が発光すると、その光は、図１（Ｂ）の一点鎖線で示すように、透明カバー８の一対の折り返し平面部２４ａ，２４ｂに形成された光照射用ミラー２６ａ，２６ｂにより反射される。
【００３３】
そして、光照射用ミラー２６ａ，２６ｂの各々によって反射された光は、透明カバー８の光照射用平面部２０ａ，２０ｂに垂直に進入し、その光照射用平面部２０ａ，２０ｂを通過した後、読取対象物２へ約６０度の入射角で照射される。つまり、光照射用ミラー２６ａ，２６ｂで反射されて光照射用平面部２０ａ，２０ｂから外部へ出る光の光軸と、窓部６に対向される読取対象物２との角度は、約３０度となる。
【００３４】
すると、読取対象物２からの反射光（乱反射光）ｈが、透明カバー８の光入射用平面部２２を通って装置本体４内に入射する。そして、その読取対象物２からの反射光ｈは、撮影用ミラー１６によってＣＣＤカメラ１８へと反射され、このＣＣＤカメラ１８が、上記反射光ｈから読取対象物２上の画像を表す画像情報を取り込む。そして、その後は、前述したように、マイクロコンピュータ等の情報処理部が、ＣＣＤカメラ１８に取り込まれた画像情報から、読取対象物２に記録されていた二次元コードを解読する。
【００３５】
以上のような本第１実施形態の二次元コード読取装置１では、窓部６の両脇付近に夫々設けたＬＥＤ群１２ａ，１２ｂからの光を読取対象物２に直接照射するのではなく、ＬＥＤ群１２ａ，１２ｂは、窓部６の平面方向に対して垂直の方向（即ち、読取対象物２の表面に対して垂直な方向）に光を出力し、その光を、光照射用ミラー２６ａ，２６ｂで反射させて、読取対象物２へ斜めに照射するようにしている。
【００３６】
このため、窓部６の両脇付近に夫々設けられるＬＥＤ群１２ａ，１２ｂは、窓部６の平面方向に対して垂直に配置すれば良く、この結果、図１及び図２に示したように、両ＬＥＤ群１２ａ，１２ｂを実装するための回路基板１４として、１枚の共通な平面基板を使用することができる。よって、当該装置１の部品点数を少なくすることができると共に、組立性が良好となる。
【００３７】
また、ＬＥＤ群１２ａ，１２ｂから出力される光を、光照射用ミラー２６ａ，２６ｂで反射させて、読取対象物２へ斜めに照射するようにしているため、両ＬＥＤ群１２ａ，１２ｂ同士の離間距離を小さくしても、読取対象物２に対して光を一律に照射することができ、この結果、装置本体４の横幅寸法（図１（Ｂ）における左右方向の寸法）を小さくすることができる。
【００３８】
そして更に、本第１実施形態の二次元コード読取装置１では、各光照射用ミラー２６ａ，２６ｂからの反射光が、透明カバー８の光照射用平面部２０ａ，２０ｂに垂直に進入して読取対象物２へ到達し、その読取対象物２からの反射光ｈが、透明カバー８の光入射用平面部２２を通って装置本体４内に入射する構成であるため、読取対象物２へ光を照射する際に、透明カバー８で光量が損失してしまうことが無い。
【００３９】
このように、本第１実施形態の二次元コード読取装置１によれば、ＬＥＤ群１２ａ，１２ｂから出力される光を読取対象物２に対して損失無く照射することができると共に、部品点数の増加と組立性の悪化を防止することができ、しかも、装置本体４をコンパクトなものにすることができる。
【００４０】
また更に、本第１実施形態の二次元コード読取装置１では、ＬＥＤ群１２ａ，１２ｂの各々と共に一対の光照射手段を成す各光照射用ミラー２６ａ，２６ｂを、透明カバー８の折り返し平面部２４ａ，２４ｂにおける内側面に形成することにより、その光照射用ミラー２６ａ，２６ｂと透明カバー８とを一体化させている。このため、当該装置１を構成する部品点数をより少なくすることができると共に、組立性を一層良好なものにすることができる。
【００４１】
ところで、上記第１実施形態の二次元コード読取装置１において、光照射用ミラー２６ａ，２６ｂとしては、表面が光沢鏡面であるのものを使用することができる。そして、この場合、ＬＥＤ１０からの光を、読取対象物２へと効率的に反射させることができる。
【００４２】
しかし、光照射用ミラー２６ａ，２６ｂとして、表面が光沢鏡面であるのものを用いた場合、ＬＥＤ１０の像が読み取り面（読取対象物２の面）に現れて、読取対象物２への照度のムラが生じてしまうこともある。
そこで、光照射用ミラー２６ａ，２６ｂとして、表面が拡散反射面である拡散反射鏡を用いれば、ＬＥＤ１０の光が拡散されて反射されることとなるため、読み取り面にＬＥＤ１０の像が現れて照度のムラが生じてしまうことを、確実に防止することができる。
【００４３】
但し、光照射用ミラー２６ａ，２６ｂの表面を拡散反射面にすると、ＬＥＤ１０からの光が拡散反射されるため、読み取り面に到達する光量が減少すると共に、視野周辺（即ち、窓部６の周辺）の照度も落ち込む傾向となる。
そこで次に、この問題を解決可能な第２実施形態の二次元コード読取装置について、図３を用いて説明する。尚、図３において、第１実施形態の二次元コード読取装置１と同じ部材については、同一の符号を付しているため、説明は省略する。また、当然であるが、本第２実施形態において、光照射用ミラー２６ａ，２６ｂの表面は、拡散反射面となっている。
【００４４】
図３（Ａ），（Ｂ）に示すように、第２実施形態の二次元コード読取装置３０は、第１実施形態の二次元コード読取装置１と比較すると、光照射用ミラー２６ａ，２６ｂの各々に対向した一対の副反射ミラー３２ａ，３２ｂを追加して備えている。尚、図３（Ａ）は、本第２実施形態の二次元コード読取装置３０の内部構造を図１（Ｂ）と同じ方向から示したものであり、図３（Ｂ）は、副反射ミラー３２ａ，３２ｂの設置状態を模式的に表したものである。
【００４５】
ここで、副反射ミラー３２ａ，３２ｂの設置状態について説明すると、図３（Ｂ）に示すように、本第２実施形態の二次元コード読取装置３０は、装置本体４内にて撮影用ミラー１６やＣＣＤカメラ１８等を収容するホルダ３３を備えており、そのホルダ３３の窓部６側の端部（図３（Ｂ）における下側の端部）には、各光照射用ミラー２６ａ，２６ｂとほぼ平行な斜面部３４ａ，３４ｂが設けられている。
【００４６】
そして、各副反射ミラー３２ａ，３２ｂは、上記斜面部３４ａ，３４ｂにて、光照射用ミラー２６ａ，２６ｂと対向する側の面に設けられている。尚、各副反射ミラー３２ａ，３２ｂは、表面が光沢鏡面のものであり、本実施形態では、上記斜面部３４ａ，３４ｂに貼付された光沢ステッカである。
【００４７】
このような本第２実施形態の二次元コード読取装置３０によれば、光照射用ミラー２６ａ，２６ｂによって装置本体４側へ拡散反射された光をも、副反射ミラー３２ａ，３２ｂによって、光照射用ミラー２６ａ，２６ｂへ再び戻すことができる。
【００４８】
つまり、光照射用ミラー２６ａ，２６ｂで装置本体４側へ拡散反射された光は、副反射ミラー３２ａ，３２ｂによって、一部は読取対象物２へと直接照射され、また、大部分は光照射用ミラー２６ａ，２６ｂに戻された後、読取対象物２に照射されることとなるからである。
【００４９】
次に、本発明者が行った実験結果を図４及び図５に示す。
図４及び図５は、窓部６に向き合わされた平面での受光量（換言すれば、その平面への照度）の測定結果を表す三次元等高線グラフであり、ｘ軸とｙ軸とが、受光量を測定した平面領域であって、窓部６よりも若干大きい領域を表し、ｚ軸が、受光量の大きさ（照度）を表している。そして、図４は、第１実施形態の二次元コード読取装置１において、光照射用ミラー２６ａ，２６ｂの表面を拡散反射面にした場合（つまり、第２実施形態の二次元コード読取装置３０において、副反射ミラー３２ａ，３２ｂを設けなかった場合）を表しており、図５は、第２実施形態の二次元コード読取装置３０の場合を表している。
【００５０】
図４と図５との比較から分かるように、光照射用ミラー２６ａ，２６ｂの表面を拡散反射面にしただけの場合には、読み取り面に到達する光量が全体的に減少すると共に、視野周辺の照度も落ち込んでしまう。これに対して、副反射ミラー３２ａ，３２ｂを設けた第２実施形態の二次元コード読取装置３０によれば、読み取り面に到達する光量を全体的に増大させることができると共に、視野周辺の照度の落ち込みも抑制することができる。
【００５１】
このため、第２実施形態の二次元コード読取装置３０によれば、読取対象物２への照射光をほぼ均一にしつつ、十分な照度を得ることができるようになる。
以上、本発明の一実施形態について説明したが、本発明は、上記各実施形態に限定されるものではなく、種々の形態を採り得ることは言うまでもない。
【００５２】
例えば、透明カバー８における光入射用平面部２２と光照射用平面部２０ａ，２０ｂとが成す角度、及び光照射用平面部２０ａ，２０ｂと折り返し平面部２４ａ，２４ｂとが成す角度は、前述した角度に限るものではなく、読取対象物２に対する光の照射角度に応じて適宜設定すれば良い。
【００５３】
一方、ＬＥＤ群１２ａ，１２ｂを構成するＬＥＤ１０の数は、５個に限らず、例えば７個やそれ以外の数でも良い。
また、上記実施形態の二次元コード読取装置１，３０では、ＬＥＤ群１２ａ，１２ｂを構成する複数のＬＥＤ１０が、一列に並べられていたが、ＬＥＤ１０は、例えばジグザグに並べるようにしても良い。
【００５４】
また更に、上記実施形態の二次元コード読取装置１，３０において、ＣＣＤカメラ１８の代わりに、ＣＭＯＳエリアイメージセンサといった他の二次元画像センサを用いても良い。
【図面の簡単な説明】
【図１】第１実施形態の二次元コード読取装置の構成を表す構造図である。
【図２】ＬＥＤ群を実装する回路基板の形状を説明する説明図である。
【図３】第２実施形態の二次元コード読取装置の構成を表す構造図である。
【図４】光照射用ミラーの表面を拡散反射面にすると共に、副反射ミラーを設けない場合の、照度の測定結果を表す三次元等高線グラフである。
【図５】副反射ミラーを設けた第２実施形態の場合の、照度の測定結果を表す三次元等高線グラフである。
【図６】従来の二次元コード読取装置の構成及び問題点を説明する説明図である。
【符号の説明】
１，３０…二次元コード読取装置    ２…読取対象物    ４…装置本体
６…窓部    ８…透明カバー    １０…ＬＥＤ（発光ダイオード）
１２ａ，１２ｂ…ＬＥＤ群    １４…回路基板    １６…撮影用ミラー
１８…ＣＣＤカメラ    ２０ａ，２０ｂ…光照射用平面部
２２…光入射用平面部    ２４ａ，２４ｂ…折り返し平面部
２６ａ，２６ｂ…光照射用ミラー    ３２ａ，３２ｂ…副反射ミラー
３３…ホルダ    ３４ａ，３４ｂ…斜面部
【図１】
0003593950.tif 000002
【図２】
0003593950.tif 000003
【図３】
0003593950.tif 000004
【図４】
0003593950.tif 000005
【図５】
0003593950.tif 000006
【図６】
0003593950.tif 000007